(57)【要約】【課題】接ぎ木ロボットへの適用可能性を含めて、より効果的な台木と穂木の接ぎ木方法を提供すること。【解決手段】（１）接ぎ木作業前の少なくとも２日間台木１に夜間補光するか、又は肥料を葉面散布し、その後、台木苗の根と子葉２を一枚残して切断して片葉状にして、該片葉状切断部分と穂木苗の根を切断した部分５を接合する接ぎ木方法、（２）台木１の１枚目の本葉３に近い茎４の部分を切断して、該切断部分と穂木苗の根を切断した部分５を接合する接ぎ木方法、又は、（３）地植えした台木１の本葉３ａ、３ｂが出るとその都度、その本葉節４ａ、４ｂの子葉２に近い部分と本葉３ａ、３ｂに近い部分を切断し、それにより得られた本葉節４ａ、４ｂの先端部に穂木５を接合する接ぎ木する方法である。いずれの方法も接ぎ木の活着率が良好である。【選択図】　図１
2004113168.tif 000002
【特許請求の範囲】
【請求項１】
接ぎ木作業前に、少なくとも２日間台木１に夜間補光するか、又は少なくとも２日間台木１に肥料を葉面散布し、その後、台木苗の根と子葉２を一枚残して切断して片葉状にして、該片葉状切断部分と穂木苗の根を切断した部分を接合することを特徴とする接ぎ木方法。
【請求項２】
台木１の１枚目の本葉３に近い茎４の部分を切断して、該切断部分と穂木苗の根を切断した部分を接合することを特徴とする接ぎ木方法。
【請求項３】
地植えした台木１の本葉３ａ、３ｂがでると、その都度、その本葉節４ａ、４ｂの子葉２に近い部分と本葉３ａ、３ｂに近い部分を切断し、それにより得られた本葉節４ａ、４ｂの先端部に穂木５を接ぎ木することを特徴とする接ぎ木方法。
【発明の詳細な説明】
【０００１】
【発明の属する技術分野】
本発明は台木苗と穂木苗を自動的に供給・接ぎ木する接ぎ木苗製造用の接ぎ木ロボットなどに適用して高い活着率で接合するための台木苗と穂木苗の前処理方法に関するものである。
【０００２】
【従来の技術】
本出願人は、接ぎ木苗製造用のロボットとして多数の接ぎ木ロボットの出願をしている。本発明者らの開発した出願発明の中で、例えば特開平８−２４２６９３号公報、特開２００２−２０９４３９号公報などに開示された接ぎ木ロボットは、それぞれ台木苗と穂木苗の供給装置にセットされた台木苗と穂木苗を円弧状の動きをする各搬送装置で切断位置までそれぞれ搬送して、切断装置で台木苗と穂木苗をそれぞれ切断し、さらに前記搬送装置で切断された台木苗と穂木苗を接合部位までそれぞれ搬送して、該接合部位でクリップにより台木苗と穂木苗を接合する接ぎ木ロボットである。
【０００３】
【特許文献１】
特開平８−２４２６９３号公報
【０００４】
【特許文献２】
特開２００２−２０９４３９号公報
【０００５】
【発明が解決しようとする課題】
前記本発明者らの開発した前記特許公開公報等に記載の接ぎ木ロボットにおいては、台木苗の子葉の片葉を残して、もう一方の片葉を切断除去し、また根も切断除去した後、地際で切断して両葉を残した穂木と接合した後、活着するまで接合部をクリップ止めしていた。
【０００６】
前記従来の接ぎ木ロボットに用いる台木は断根し、片葉を切断し易く、当該台木は穂木との接合時にクリップ止めし易いため、このような接ぎ木ロボットに供給するための台木の前処理は、機械化し易く、能率的な作業が可能である。
【０００７】
しかし、台木の根と子葉の片方を切断しているため、接ぎ木後に土に植え付けると台木が養分を吸収して穂木の方に養分が供給されにくくなる。このことが接ぎ木の活着率が高くならない原因となり、また活着しても接ぎ木の生育遅れが生じるおそれがある。
【０００８】
前記片方子葉だけを残した台木と穂木を接続する接ぎ木法は、慣行の手接ぎ方法で台木の子葉の両葉を残しておき、穂木と接ぎ木する方法に比べて、養分を貯めている子葉が片葉である分だけ台木の持つ養分が穂木に行き渡らないという欠点がある。
【０００９】
そこで本発明では、接ぎ木ロボットへの適用可能性を含めて、より効果的な台木と穂木の接ぎ木方法を提供することを課題とする。
【００１０】
【課題を解決するための手段】
本発明の上記課題は次の構成によって達成される。
請求項１記載の発明は、接ぎ木作業前に、少なくとも２日間台木１に夜間補光するか、又は少なくとも２日間台木１に肥料を葉面散布し、その後、台木苗の根と子葉２を一枚残して切断して片葉状にして、該片葉状切断部分と穂木苗の根を切断した部分を接合する接ぎ木方法である。
【００１１】
請求項１記載の発明によれば、接ぎ木前の台木１と穂木５の処理方法として断根前の片葉接ぎにおいて、台木１の養分を消耗させないためにあるいは接ぎ木前に台木１の養分量を多くするために、▲１▼接ぎ木前の２日間程度台木１に夜間補光するか、又は▲２▼接ぎ木前の２日間程度台木１に肥料を葉面散布することで、台木１の子葉２に栄養分を貯める。
【００１２】
請求項２記載の発明は、台木１の１枚目の本葉３に近い茎４の部分を切断して、該切断部分と穂木苗の根を切断した部分を接合する接ぎ木方法である。
【００１３】
請求項２記載の発明によれば、１枚目の本葉３にできるだけ近い茎４の部分を切断し、その部分に穂木苗を接ぎ木することで、従来、廃棄していた本葉３が出てしまった台木１でも利用できるようになる。このとき、本葉３に近い茎４の部分で接ぎ木する場合に茎４に直交する切断面で穂木５と接ぎ木をすることで、台木１と穂木５の維管束が出合う確率が高くなり、接合面をクリップにより圧着させる必要がなくなる。
【００１４】
請求項３記載の発明は、地植えした台木の本葉がでると、その都度、その本葉節４ａ、４ｂの子葉２に近い部分と本葉３ａ、３ｂに近い部分を切断し、それにより得られた本葉節４ａ、４ｂの先端部に穂木５を接ぎ木する方法である。
【００１５】
請求項３記載の発明によれば、台木１の本葉３が展開する毎に、その節を切り採って接ぎ木することかできる。
【００１６】
【発明の効果】
請求項１記載の発明によれば、台木の子葉に栄養分を貯めた後に接ぎ木をするので台木の根と子葉の片方を切断していても接ぎ木の活着率が良く、また接ぎ木の生育率も良くなる。
【００１７】
請求項２記載の発明によれば、１枚目の本葉にできるだけ近い茎の部分を切断し、その部分に穂木苗を接合することで、従来、廃棄していた本葉が出てしまった台木も利用でき、また穂木の自根が発生しない利点もある。
【００１８】
請求項３記載の発明によれば、台木の本葉が展開する毎に、その節を切り採って接ぎ木することができるので、１本の台木から、何本でも接ぎ木苗が採れる利点がある。
【００１９】
【実施の形態】
本発明の実施の形態について図面と共に説明する。
接ぎ木前の台木と穂木の処理方法として断根前の片葉接ぎにおいて、台木の養分を消耗させないためにあるいは接木前に台木の養分量を多くするために、
▲１▼接木前の２日間程度台木に夜間補光する、又は
▲２▼接木前の２日間程度台木に肥料を葉面散布する
方法を採用した。
【００２０】
先に述べたように、台木の根と本来栄養分が貯まっている子葉の片方を切断しているため、接ぎ木後に土に植え付けると台木が地中から養分を吸収して穂木の方に養分が供給されにくくなり、接ぎ木の活着率が高くならない原因となり、また活着しても接ぎ木の生育が停滞する。
【００２１】
そこで、接木前に台木に光を当てるとか台木の子葉部分に肥料を散布する方法を採用した。
【００２２】
こうして、接ぎ木後の台木の養分が穂木にも行き渡り、接ぎ木の活着率が高くなり、また生育停滞も生じなくなった。
特にウリ科（キュウリ、スイカ、メロン）の接ぎ木に効果があった。
【００２３】
また、従来、大きくなった台木の子葉節で接ぎ木すると活着率が悪かったので、通常大きくなり過ぎた台木は廃棄されていた。これは台木の導管が大きくなり、空洞化するため、仮に活着しても導管内を穂木の根が通過して土中に伸びることがあり、接ぎ木の利点が失われることがあったためである。
【００２４】
そこで、図１に示すように、台木１が大きくなって本葉３が１枚出たとき、その本葉３にできるだけ近い茎４の部分を切断し（図１（ａ））、その部分に穂木５を接ぎ木してクリップ止めをする（図１（ｂ））方法を用いると、活着率良く接ぎ木ができる。
【００２５】
こうして本葉３が出てしまった台木１でも利用できるようになり、また接ぎ木後に穂木５の自根が発生しない利点もある。
【００２６】
また、図２（ａ）に示すように、１枚目の本葉３にできるだけ近い茎４の部分で接ぎ木する場合に、台木１の茎４と穂木５の茎をそれぞれ直交する方向に切断して、得られた切断面同士を互いに接ぎ木することで、台木１と穂木５の維管束が出合う確率が高くなり、接合面をクリップにより圧着させる必要がなくなる。この場合にはクリップに代えて　図２（ｂ）に示す片面が開いたビニールホース６等で接木面を覆うことで容易に接合面を保持でき、しかも活着率も良くなる。
【００２７】
さらに、前記図２に示す接ぎ木の方法において、台木１の断根をしないで接ぎ木をすることで断根した台木１に比べて接ぎ木の活着が早いことが分かった。
【００２８】
また、図３に示すように、セルで育苗した台木１の本葉３が１枚出たとき、その本葉３にできるだけ近い茎４の部分を切断し、その部分に穂木５を接ぎ木した後、これを鉢上げすること（最終育苗用の大型ポット７へ植え替えること）で、穂木５が重くても苗が倒れず姿勢が安定する利点もある。
【００２９】
また、台木１の本葉節を接ぎ木の台木側に用いて接ぎ木する方法もある。
図４に示すように、台木１を１本地植えしておき、本葉３ａ、３ｂが出るとその都度、その本葉節４ａ、４ｂの子葉２に近い部分と本葉３ａ、３ｂに近い部分を切断し、それにより得られた本葉節４ａ、４ｂの先端部に穂木５を接ぎ木する。この方法によると、台木１の本葉３ａ、３ｂが展開する毎に、その節を切り取って接ぎ木することで、１本の台木１から、何本でも接ぎ木用台木苗が得られる利点がある。特にウリ科の苗に適用できる。
【００３０】
図４で台木１の第１番目に出た本葉３を第１本葉３ａ、その第１本葉３ａの本葉節４を第１本葉節４ａといい、台木１の第２番目に出た本葉を第２本葉節３ｂ、その第２本葉３ｂの本葉節４を第２本葉節４ｂという。
【図面の簡単な説明】
【図１】本発明の実施の形態の接ぎ木方法を説明する図である。
【図２】本発明の実施の形態の接ぎ木方法を説明する図である。
【図３】本発明の実施の形態の接ぎ木方法を説明する図である。
【図４】本発明の実施の形態の接ぎ木方法を説明する図である。
【符号の説明】
１　台木　　　　　　　　２　子葉
３　本葉　　　　　　　　４　茎
４ａ、４ｂ　本葉節　　　５　穂木
６　ビニールホース　　　７　大型ポット
【図１】
2004113168.tif 000003
【図２】
2004113168.tif 000004
【図３】
2004113168.tif 000005
【図４】
2004113168.tif 000006